(57)【要約】【課題】脚部の伸縮を大きく調整可能な新規な構造の提案【解決手段】  ポータブルトイレ１０は、便器本体１００の上面を含む上側部材２１０と、便器本体１００の底部を含み、上側部材２１０の下に組み合わされる下側部材２２０と、上側部材２１０に載置されるトレイ５０と、トレイ５０に載置されるバケツ４０と、下側部材２２０の底部の前後左右の隅部に設けられた４つのボス１２１〜１２４と、４つのボス１２１〜１２４にそれぞれ装着された脚部５０１、５０２、６０１、６０２と、４つのボス１２１〜１２４で囲まれた領域内に、バケツ４０を収容する収容部とを備えている。【選択図】図７
2015016313.tif 000002
【特許請求の範囲】
【請求項１】
便器本体の上面を含む上側部材と、
便器本体の底部を含み、前記上側部材の下に組み合わされる下側部材と、
前記上側部材に載置されるトレイと、
前記トレイに載置されるバケツと、
前記下側部材の底部の前後左右の隅部に設けられた４つのボスと、
前記４つのボスにそれぞれ装着された脚部と、
前記４つのボスで囲まれた領域内に、前記バケツを収容する収容部と
を備えた、
ポータブルトイレ。
【請求項２】
前記下側部材は、前記底部の中央に開口を有する、請求項１に記載されたポータブルトイレ。
【請求項３】
前記４つのボスで囲まれた領域内において、前記上側部材の下端部は、前記下側部材の底部に接している、請求項１または２に記載されたポータブルトイレ。
【請求項４】
前記下側部材は、前記底部の中央に開口を有し、
前記上側部材の下端部は、前記開口の周縁部において、前記下側部材の底部に接している、請求項３に記載されたポータブルトイレ。
【請求項５】
前記便器本体は、前記便器本体の内部に溜まった水を抜く水抜き穴を有する、請求項１から４までの何れか一項に記載されたポータブルトイレ。
【発明の詳細な説明】
【技術分野】
【０００１】
本発明は、ポータブルトイレに関する。ポータブルトイレは、例えば、ベッド脇に置かれて介護用に用いることができるトイレである。ポータブルトイレは、介護用トイレや簡易トイレなどとも称されうる。
【背景技術】
【０００２】
ポータブルトイレは、使用者の体格に応じて、高さを変える構造を有している場合があり、種々の構造が提案されている。例えば、特開２００１−３４６７１８号公報には、外側面に凹溝が形成された脚を、本体の底板に設けられた円孔に設けられた突起に噛み合わせた形態が開示されている。また、ポータブルトイレの高さを変える構造として、特開２０１０−２４０１６５号公報、特開２０１２−２３９６４１号公報などに、種々の構造が提案されている。
【先行技術文献】
【特許文献】
【０００３】
【特許文献１】特開２００１−３４６７１８号公報
【特許文献２】特開２０１０−２４０１６５号公報
【特許文献３】特開２０１２−２３９６４１号公報
【発明の概要】
【課題を解決するための手段】
【０００４】
ここで提案されるポータブルトイレは、便器本体の上面を含む上側部材と、便器本体の底部を含み、上側部材の下に組み合わされる下側部材と、上側部材に載置されるトレイと、トレイに載置されるバケツと、下側部材の底部の前後左右の隅部に設けられた４つのボスと、４つのボスにそれぞれ装着された脚部と、４つのボスで囲まれた領域内に、バケツを収容する収容部とを備えている。
【０００５】
ここで、下側部材は、底部の中央に開口を有していてもよい。また、４つのボスで囲まれた領域内において、上側部材の下端部は、下側部材の底部に接していてもよい。また、下側部材は、底部の中央に開口を有している場合、上側部材の下端部は、開口の周縁部において、下側部材の底部に接していてもよい。また、便器本体は、前記便器本体の内部に溜まった水を抜く水抜き穴を有していてもよい。
【０００６】
また、ポータブルトイレの便器本体に脚部を取り付ける部位で、脚部の長さを変える場合には、脚部のがたつきが小さく抑えられることが望ましい。それに加えて、長さ変更が比較的容易であることや、部品点数が少ないことが望ましい。ここでは、ポータブルトイレの脚部の長さを変える構造について新規な構造を提案する。また、ここで提案される構造は、軸を保持する軸保持構造として、ポータブルトイレの脚部のみならず、種々の軸を保持する構造を有する他の用途に適用されうる。
【０００７】
かかる観点において、ここで提案される軸保持構造は、軸と、軸の一端を保持する基材と、軸に装着される筒材と、筒材を基材に連結する連結部材とを備えている。ここで、基材は、軸の一端を保持する略筒状の保持部と、保持部の外側部に、前記連結部材が係止される係止部とを有している。軸の外周面には、当該軸の長さ方向に沿って複数の第１係合部が設けられている。また、筒材は、弾性的に拡縮可能であり、かつ、保持部に嵌め込まれうる外形形状を有している。筒材は、軸に装着された状態において、軸の長さ方向に沿って設けられた複数の第１係合部のうち任意の第１係合部に対して、少なくとも軸の長さ方向に係合し得る第１被係合部と、連結部材が係合する第２係合部とを有している。連結部材は、筒材の第２係合部と筒材の軸方向に係合する第２被係合部と、保持部に設けられた係止部に係止される被係止部とを備えている。かかる軸保持構造では、基材に保持された軸の長さを調整できる。
【０００８】
ここで、筒材の側面は、周方向において開口していてもよい。この場合、筒材は、当該開口を開くことで内径が弾性的に拡がる構造でもよい。また、筒材の側面に形成された開口の少なくとも一方の端部の縁が外径方向に突出した突起を有していてもよい。
【０００９】
また、第１被係合部は、筒材の軸方向に沿って複数設けられていてもよい。この場合、当該筒材が軸に装着された状態において、当該筒材の複数の第１被係合部が、軸の複数の第１係合部に係合するとよい。
【００１０】
また、軸に形成された第１係合部は、軸の外周面から突出した突起であってもよい。筒材に形成された第１被係合部は、第１係合部が嵌る凹部または孔であるとよい。この場合、筒材の内周面に突出し、軸に装着した状態で筒材を回転させた際に、軸の第１係合部に当たり、軸の第１係合部に筒材の第１被係合部が嵌るように、軸に対して筒材を案内する、ガイドを備えているとよい。
【００１１】
また、軸に形成された第１係合部は、軸の外周面に形成された凹部または孔であってもよい。筒材に形成された第１被係合部は、第１係合部に嵌る突起であるとよい。また、この場合、軸の外周面に突出し、前記軸に装着した状態で前記筒材を回転させた際に、筒材の第１被係合部に当たり、軸の第１係合部に前記筒材の第１被係合部が嵌るように、軸に対して筒材を案内する、ガイドを備えているとよい。
【００１２】
筒材の外周面は、保持部の奥に嵌め込まれる部位から、筒材の軸方向に沿って徐々に外径が大きくなっていてもよい。また、連結部材は、筒材に装着可能なリング状の部材でもよい。また、第２係合部は、筒材の外周面に突出した突起または段差であり、第２被係合部は、連結部材の内周面において、内径側に突出した突起であってもよい。また、第２係合部は、筒材の周方向に連続して設けられていてもよい。
【００１３】
また、係止部は、保持部の外周面に形成された雄ねじであり、被係止部は、係止部に対応して、連結部材の内周面に形成された雌ねじであってもよい。また、係止部は、保持部の外周面に形成された溝であり、被係止部は、係止部に対応して、連結部材の内周面に形成された突起であってもよい。また、係止部は、保持部の外周面に形成された突起であり、被係止部は、係止部に対応して、連結部材の内周面に形成された溝であってもよい。
【００１４】
また、保持部は、軸に装着された筒材が嵌め込まれ得る筒状部材を有していてもよい。この場合、基材は、当該筒状部材が装着されるボス部を有しているとよい。また、筒状部材は、外径方向に突出し、ボス部の一端側に当たる段差と、ボス部の他端側に引っ掛かる爪部とを有していてもよい。
【図面の簡単な説明】
【００１５】
【図１】図１はポータブルトイレ１０の斜視図である。
【図２】図２はポータブルトイレ１０の斜視図である。
【図３】図３はポータブルトイレ１０の斜視図である。
【図４】図４はポータブルトイレ１０の斜視図である。
【図５】図５は、便器本体１００の平面図である。
【図６】図６は、便器本体１００の左側を示す側面図である。
【図７】図７は、図６のＶＩＩ−ＶＩＩ断面矢視図であり、便器本体１００の縦断面図である。
【図８】図８は、バケツ４０とトレイ５０が配置された便器本体１００の縦断面図である。
【図９】図９は、上側部材２１０の底面図である。
【図１０】図１０は、上側部材２１０の周縁部の断面を拡大した拡大断面図である。
【図１１】図１１は、下側部材２２０の平面図である。
【図１２】図１２は、下側部材２２０の周縁部の断面を拡大した拡大断面図である。
【図１３】図１３は、左側の肘掛３００を示す斜視図である。
【図１４】図１４は、肘掛ベース３０１の中空軸３１４（４１４）を横断した横断平面図である。
【図１５】図１５は、ポータブルトイレ１０の平面図である。
【図１６】図１６は、ポータブルトイレ１０の左側の脚部５０１、５０２に設けられた軸保持構造８００を示す側面図である。
【図１７】図１７は、ポータブルトイレ１０の左側の脚部５０１、５０２に設けられた軸保持構造８００を示す側面図である。
【図１８】図１８は、左側の脚部５０１、５０２をポータブルトイレ１０の内側（右側）から見た側面図である。
【図１９】図１９は、筒状部材８２３の内周面（ポータブルトイレ１０の外側の内周面）を示す断面図である。
【図２０】図２０は、右側の脚６００をポータブルトイレ１０の外側（右側）から見た側面図である。
【図２１】図２１は、右側の脚６００をポータブルトイレ１０の内側（左側）から見た側面図である。
【図２２】図２２は、筒材８０２の斜視図である。
【図２３】図２３は、筒状部材８２３に筒材８０２を嵌め込み連結部材８０４を取り付けた状態を示す縦断面図である。
【図２４】図２４は、筒状部材８２３に筒材８０２を嵌め込み連結部材８０４を取り付けた状態を示す縦断面図である。
【発明を実施するための形態】
【００１６】
以下、ここで提案される軸保持構造を図面に基づいて説明する。ここでは、軸保持構造を脚部の長さを調整する構造に適用したポータブルトイレを例に挙げる。以下の説明において、ポータブルトイレに関し、前、後、左、右というときは、それぞれ便座に腰掛けた使用者から見た方向を基準にしている。図面には、前（Ｆ）、後（Ｂｋ）、左（Ｌ）、右（Ｒ）に対応させて、それぞれ符号Ｆ、Ｂｋ、Ｌ、Ｒが適宜に付されている。また、各図において同じ作用を奏する部材や部位には、同じ符号を付し、適宜に重複する説明を省略している。
【００１７】
ここでは、まず、ポータブルトイレの概要を説明し、その後、ポータブルトイレの脚部の長さを調整する構造、換言すれば、ポータブルトイレの高さを調整する構造に採用された軸保持構造を説明する。ここで提案される軸保持構造は、ポータブルトイレの高さを調整する構造のみならず、種々の用途に採用されうる。
【００１８】
《ポータブルトイレ１０》
図１から図４はそれぞれポータブルトイレ１０の斜視図である。ここで、図１は、蓋２０が開いた状態（蓋２０が上げられた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示すポータブルトイレ１０の斜視図である。さらに、図４は、図３の状態からトレイ５０（受け板）を取り出した状態を示すポータブルトイレ１０の斜視図である。
【００１９】
ポータブルトイレ１０は、図１から図４に示すように蓋２０と、便座３０と、バケツ４０と、トレイ５０と、便器本体１００と、背もたれ２５０と、肘掛３００、４００と、脚５００、６００と、脱臭装置７５０（図５参照）とを備えている。
【００２０】
《蓋２０》
蓋２０は、ポータブルトイレ１０の便座３０に被せられる部材である。この実施形態では、蓋２０は、図１に示すように、矩形の部材であり、後ろ側の縁にヒンジ２１が取り付けられている。蓋２０は、ヒンジ２１を軸にして回動する。蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図１５参照）と、背もたれ２５０の後ろに引き上げた姿勢（図１に示す状態）とで適宜に変えられる。
【００２１】
《便座３０》
便座３０は、図１に示すように、便器本体１００の上面の中央部に配置されている。この実施形態では、便座３０は、後部の縁に設けられたヒンジ３１を介して便器本体１００に取り付けられている。そして、便座３０の姿勢は、図１に示すように、便器本体１００の上面に配置された姿勢と、図２に示すように、便器本体１００の上面から引き上げられた姿勢とで適宜に変えられる。この実施形態では、便座３０は、使用者がお尻を受ける座面を有する。便座３０の中央には開口３２が形成されている。
【００２２】
《バケツ４０》
バケツ４０は、使用者の排便を受けるバケツであり、「汚物受け」と称されうる。この実施形態では、バケツ４０は、上部が開口した底が深い有底の容器である。図３および図４に示すように、便器本体１００は、当該バケツ４０を収容する窪んだ収容部１０１を有している。収容部１０１は、「汚水受け」とも称されうる。バケツ４０と収容部１０１は、異形形状であり、バケツ４０は予め定められた向きで収容部１０１に収められる。図２に示すように、バケツ４０の上縁には取っ手４１が取り付けられている。バケツ４０が収容部１０１に収容された状態では、取っ手４１はバケツ４０の後方へ廻される。また、図１に示すように、バケツ４０の開口には蓋４２（バケツ蓋）が装着される。
【００２３】
《トレイ５０》
この実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。トレイ５０の開口５１の縁およびトレイ５０の外縁には、上方に向けて連続して立ち上がった壁５２、５３がそれぞれ設けられている。トレイ５０の上に落ちた汚水は、かかる壁５２、５３によってトレイ５０の上面に受けられる。また、トレイ５０には、便座３０のヒンジ３１を取り付ける基部５４が設けられている。
【００２４】
《便器本体１００》
次に、便器本体１００を説明する。便器本体１００は、図４に示すように、収容部１０１と、上面部１０２と、外郭部１０３と、底部１０４とを有している。ここで、図５は、便器本体１００の平面図である。図６は、便器本体１００の左側を示す側面図である。図７は、図６のＶＩＩ−ＶＩＩ断面矢視図であり、便器本体１００の縦断面図である。図８は、図７に示された便器本体１００の縦断面図に、バケツ４０とトレイ５０を書き加えたものである。
【００２５】
《収容部１０１》
図７および図８に示すように、収容部１０１は、バケツ４０が収められた窪んだ部位である。この実施形態では、バケツ４０の上縁４３は、周方向に連続して外側に屈曲している。バケツ４０は、トレイ５０の開口５１から便器本体１００の収容部１０１に収められ、かつ、トレイ５０の開口５１の周縁に連続して立ち上がった壁５２の上端に、バケツ４０の上縁４３を引っ掛けて載置されている。この実施形態では、便器本体１００の後部には、脱臭装置７５０を取り付ける脱臭装置取付部２１５（図５参照）が設けられている。収容部１０１の後部には、脱臭装置７５０へ臭気を導く脱臭ダクト７００が取り付けられる。また、この実施形態では、収容部１０１の後部には、脱臭ダクト７００からの排水を受ける受け部２１６および受け部２１６で受けた排水を収容部１０１へ導く溝状の排出路２１６ａが設けられている。
【００２６】
《上面部１０２》
上面部１０２は、図３、図４、図７および図８に示すように、収容部１０１の上部周辺に設けられている。上面部１０２の上には、図１に示すように、便座３０が配置される。なお、この実施形態では、図１および図８に示すように、上面部１０２の上には、トレイ５０が配置され、その上に便座３０が配置されている。上面部１０２には、図５に示すように、肘掛取付部２１１、２１２と、背もたれ取付部２１３、２１４とが設けられている。
【００２７】
《外郭部１０３、底部１０４》
外郭部１０３は、図７に示すように、収容部１０１の少なくとも外側面１１１を囲う部位である。底部１０４は、外郭部１０３の下端から連続し、便器本体１００の底を形成する部位である。ポータブルトイレ１０は、便器本体１００の少なくとも前面において、上面部１０２の周縁を形成する面１１２（この実施形態では、上面部１０２の周縁の周側面）と、外郭部１０３を形成する面１１３（この実施形態では、外郭部１０３の側面）とが連続している。さらに、外郭部１０３を形成する面１１３と、底部１０４を形成する面１１４とが連続している。そして、ポータブルトイレ１０の脚５００、６００は、図１に示すように、便器本体１００の底部１０４の左右にそれぞれ独立して取り付けられている。
【００２８】
なお、ここで、面が連続しているとは、外観上、面が一連に連なっていることをいう。例えば、ここでは、便器本体１００の少なくとも前面において、ポータブルトイレ１０の外郭部１０３を構成する上面部１０２の周縁を形成する面１１２と、外郭部１０３を形成する面１１３とは、一連に連なっている。また、この実施形態では、便器本体１００は、後述するように上側部材２１０と下側部材２２０とで構成されている。ここで、上側部材２１０と下側部材２２０とは、外側面が一連に連なるように組み合わされている。かかる箇所では、「面が連続している」とする。また、意匠上の多少の凹凸や段差などは、問題としない。
【００２９】
このポータブルトイレ１０では、図１、図６、図７および図８に示すように、バケツ４０を収容している収容部１０１の外側面１１１が外郭部１０３に囲われている。このため、バケツ４０を収容している収容部１０１が外観上見えにくい。また、ポータブルトイレ１０の前面において、上面部１０２の周縁を形成する面１１２と、外郭部１０３を形成する面１１３とが連続している。また、外郭部１０３を形成する面１１３（この実施形態では、外郭部１０３の側面）と、底部１０４を形成する面１１４とが連続している。つまり、ポータブルトイレ１０の前面において、便器本体１００を構成する部材の縁が下方に張り出していない。このため、ポータブルトイレ１０の前面では、使用者および介助者の足が、ポータブルトイレ１０の下端に引っ掛かりにくい。
【００３０】
さらにポータブルトイレ１０の前面において、便器本体１００の外郭部１０３は、上面部１０２の周縁から底部１０４へ向かうにつれて後方に傾斜している。このため、図１に示すように、ポータブルトイレ１０に座った使用者が体の近くに足を引き寄せる空間Ｓ１が、ポータブルトイレ１０の前面下部、使用者の足元に形成されている。ポータブルトイレ１０の前面下部にこのような空間Ｓ１があると、使用者は、ポータブルトイレ１０に座った状態で、自らの重心の近くに足を引き寄せることができ、ポータブルトイレ１０から立ち上がりやすくなる。また、介助者にとっても、ポータブルトイレ１０の前面に足を踏み入れる空間Ｓ１があるので、ベッドとポータブルトイレ１０との間で使用者が乗り移るのを介助するのが容易になる。また、この実施形態では、便器本体１００の外郭部１０３は、ポータブルトイレ１０の前面と左右の両側面とが連続した面で形成されており、上面部１０２の周縁から底部１０４へ向かうにつれて少し内側に傾斜している。かかる外郭形状によって、使用者がベッドに乗り移る際に、便器本体１００が邪魔になりにくい。
【００３１】
《上側部材２１０と下側部材２２０》
この実施形態では、ポータブルトイレ１０は、樹脂製（樹脂成形品）である。便器本体１００は、上側部材２１０と下側部材２２０とで構成されており、上側部材２１０と下側部材２２０とを上下に組み合わせた構造を備えている。かかる構造によって、樹脂成形による便器本体１００の作製を容易にし、かつ、便器本体１００に所要の剛性を確保している。
【００３２】
ここで、上側部材２１０には、便器本体１００のうち収容部１０１と上面部１０２とが含まれている。下側部材２２０には、外郭部１０３の少なくとも一部と底部１０４とが含まれている。なお、上側部材２１０は、収容部１０１と上面部１０２とが含まれているとよく、外郭部１０３の一部（上部）が含まれていてもよい。また、下側部材２２０には、外郭部１０３の少なくとも一部（下部）と底部１０４とが含まれているとよく、外郭部１０３の一部（上部）が含まれていなくてもよい。また、上面部１０２と外郭部１０３、および、外郭部１０３と底部１０４などは、境界が明確に定められるものではない。
【００３３】
《上側部材２１０》
図９は、上側部材２１０の底面図である。図１０は、上側部材２１０の周縁部の断面を拡大した拡大断面図である。この実施形態では、上側部材２１０は、一体的な成形品である。上側部材２１０には、図５、図８および図９に示すように、バケツ４０が収容される収容部１０１と、上面部１０２とが含まれている。また、上面部１０２には、肘掛取付部２１１、２１２と、背もたれ取付部２１３、２１４と、脱臭装置取付部２１５とが設けられている。肘掛取付部２１１、２１２と、背もたれ取付部２１３、２１４と、脱臭装置取付部２１５とについては、後で述べる。
【００３４】
図９に示すように、上側部材２１０の周縁は全周にわたって下方に屈曲している。上側部材２１０の下縁２１０ａには、図１０に示すように、脱臭装置取付部２１５を除き、凡そ全周にわたって内側に段差２１０ａ１を有し、外側面に沿って下方に延びた係合片２１０ａ２が設けられている。
【００３５】
上側部材２１０の周縁には、図９に示すように、上側部材２１０と下側部材２２０とを組み付けるための複数のピン２１０ｂが設けられている。ピン２１０ｂは、便器本体１００の内側に設けられており、上側部材２１０の底面において下方に突出している。この実施形態では、ピン２１０ｂは、略矩形の上側部材２１０の四隅に設けられている。また、上側部材２１０の周縁には、上側部材２１０と下側部材２２０とを組み付けるための複数のねじ穴２１０ｃが形成されている。また、上側部材２１０の裏面（内面）には、リブが適当に配置されている。また、収容部１０１の底１０１ａには、底の周縁に沿って下方に突出した底面リブ１０１ａ１がある。また、上側部材２１０の後部の脱臭装置取付部２１５の周縁部には、脱臭装置７５０を取り付けるための取付穴２１０ｄが形成されている。
【００３６】
《下側部材２２０》
図１１は、下側部材２２０の平面図である。図１２は、下側部材２２０の周縁部の断面を拡大した拡大断面図である。この実施形態では、下側部材２２０は、一体的な成形品である。下側部材２２０には、底部１０４と、外郭部１０３とが含まれている。下側部材２２０は、全体として有底の略矩形の箱形状であり、底部１０４には、上側部材２１０の収容部１０１の底１０１ａに対向する部位に開口１０４ａが形成されている。開口１０４ａの縁には、周方向に連続した突起１０４ａ１が設けられている。当該突起１０４ａ１は、上側部材２１０と下側部材２２０とを上下に組み合わせた際に、上側部材２１０の収容部１０１の底１０１ａに形成された底面リブ１０１ａ１の内側において立ち上がった状態になる。また、便器本体１００の底部１０４には、脚５００、６００の脚部５０１、５０２、６０１、６０２の上端が装着されるボス１２１〜１２４が設けられている。この実施形態では、ボス１２１〜１２４は、下側部材２２０の底部１０４の前後左右の隅部に設けられている。
【００３７】
図１１に示すように、底部１０４は全周にわたって上方に屈曲し、外郭部１０３に連続している。下側部材２２０の上縁２２０ａには、図１２に示すように、脱臭装置取付部２１５の一部を除き、凡そ全周にわたって外側に段差２２０ａ１を有し、内側面に沿って上方に延びた係合片２２０ａ２が設けられている。
【００３８】
また、下側部材２２０の周縁には、図１１に示すように、上側部材２１０に設けられた複数のピン２１０ｂに対応する位置にピン穴２２０ｂが設けられている。ピン穴２２０ｂは、便器本体１００の内側に設けられており、上側部材２１０に設けられたピン２１０ｂがそれぞれ嵌りうる内径を有している。この実施形態では、ピン穴２２０ｂは、略矩形の下側部材２２０の四隅に設けられている。また、下側部材２２０の周縁には、上側部材２１０に形成されたねじ穴２１０ｃに対応する位置にねじ穴２２０ｃが形成されている。また、下側部材２２０の底面には、リブが適当に配置されている。特に、脚５００、６００が取り付けられるボス１２１〜１２４の周囲にはリブ１２１ａ〜１２４ａが放射状に設けられおり、所要の強度が確保されている。
【００３９】
《上側部材２１０と下側部材２２０の組み付け》
図７に示すように、上側部材２１０の下縁２１０ａと下側部材２２０の上縁２２０ａとは、互いに内外に嵌り合っている。この実施形態では、図１０に示すように、上側部材２１０の下縁２１０ａには、凡そ全周にわたって内側に段差２１０ａ１を有し、外側面に沿って下方に延びた係合片２１０ａ２が設けられている。下側部材２２０の上縁２２０ａには、凡そ全周にわたって外側に段差２２０ａ１を有し、内側面に沿って上方に延びた係合片２２０ａ２が設けられている。この実施形態では、図７に示すように、外側面に沿って下方に延びた上側部材２１０の係合片２１０ａ２（図１０参照）と、内側面に沿って上方に延びた下側部材２２０の係合片２２０ａ２（図１２参照）とが内外に嵌り合っている。
【００４０】
この実施形態では、上側部材２１０と下側部材２２０のうち、一方（この実施形態では、上側部材２１０）にピン２１０ｂが設けられ、他方（この実施形態では、下側部材２２０）にピン２１０ｂが嵌るピン穴２２０ｂが設けられている。そして、上側部材２１０と下側部材２２０とが組み合わされる際に、ピン２１０ｂがピン穴２２０ｂに装着されている。また、上側部材２１０と下側部材２２０に設けられたねじ穴２１０ｃ、２２０ｃは、上側部材２１０と下側部材２２０とが組み合わされる際に穴が合い、ビスで止められる。これにより、便器本体１００は一体化される。なお、この実施形態では、上側部材２１０にピン２１０ｂが設けられ、かつ、下側部材２２０にピン穴２２０ｂが設けられている。便器本体１００は、これに限らず、下側部材２２０にピンが設けられ、かつ、上側部材２１０にピン穴が設けられていてもよい。
【００４１】
また、この実施形態では、ピン２１０ｂとピン穴２２０ｂは、それぞれ便器本体１００の内側に設けられており、便器本体１００の外観上現われていない。このため、かかるピン２１０ｂとピン穴２２０ｂは、ポータブルトイレ１０の外観において美感を損なわない。
【００４２】
《水抜き穴》
また、便器本体１００の側面には、水抜き穴が形成されている。この実施形態では、図１１に示すように、下側部材２２０の後部において、上縁２２０ａに水抜き穴となる切欠き２２０ｄが形成されている。当該切欠き２２０ｄは、上側部材２１０と下側部材２２０とが組み合わせた状態で水抜き穴になる。例えば、ポータブルトイレ１０を水洗いした際に、便器本体１００内に水が入る。この際、下側部材２２０の内部に設けられたリブ１２１ａ〜１２４ａに水が残留する。このような場合に、ポータブルトイレ１０の後部を下に向けて放置すると、リブ１２１ａ〜１２４ａを伝って、ポータブルトイレ１０の後部の水抜き穴から便器本体１００の外に水が排出される。このような水抜き穴は、便器本体１００の側面に形成されているとよい。なお、この実施形態では、水抜き穴は、便器本体１００の後側の側面に形成されているが、水抜き穴は、便器本体１００の左右の側面に設けられていてもよいし、便器本体１００の前面に設けられていてもよい。
【００４３】
次に、便器本体１００に設けられた肘掛取付部２１１、２１２と、背もたれ取付部２１３、２１４と、脱臭装置取付部２１５を順に説明する。ここでは、肘掛取付部２１１、２１２に取り付けられる肘掛３００、４００を説明し、その後、肘掛取付部２１１、２１２を説明する。
【００４４】
《肘掛３００、４００》
ここで、図１３は、左側の肘掛３００を示す斜視図である。肘掛３００、４００は、凡そ同様の構造を有している。図１３中のカッコ内の符号は、右側の肘掛４００の符号を示している。ここでは、左側の肘掛３００には３００番台の符号を付し、右側の肘掛４００の各部位には、左側の肘掛３００の各部位に対応させて４００番台の符号を付している。
【００４５】
肘掛３００（４００）は、図１３に示すように、肘掛ベース３０１（４０１）と、肘掛本体３０２（４０２）と、高さ調節機構３０３（４０３）とを備えている。
【００４６】
《肘掛ベース３０１（４０１）》
肘掛ベース３０１（４０１）は、基部３１１（４１１）と、２本の中空の支柱３１２、３１３（４１２、４１３）と、中空軸３１４（４１４）とを備えている。基部３１１（４１１）は、便器本体１００の上側部材２１０に前後方向に沿って配置される長手のプレートである。２本の支柱３１２、３１３（４１２、４１３）は、基部３１１（４１１）の前後両端部に配置されている。基部３１１（４１１）は、２本の支柱３１２、３１３（４１２、４１３）の中間部の下端よりの位置に架け渡されている。
【００４７】
基部３１１（４１１）には、係合突起３２１（４２１）と、差込穴３２２（４２２）とがある。係合突起３２１（４２１）は、基部３１１（４１１）の下面から、基部３１１（４１１）の長手方向に沿って下方に突出した突起である。差込穴３２２（４２２）は、基部３１１（４１１）の中間部前よりに形成されており、肘掛３００、４００を上側部材２１０に固定する固定ピン３５０（４５０）（図１参照）を挿し込む貫通した穴である。また、後側の支柱３１３（４１３）の外周面には、上下に連続して後方に突出した係合片３２３（４２３）が設けられている。肘掛ベース３０１（４０１）の中空軸３１４（４１４）は、基部３１１（４１１）よりも高い位置において、前後一対の支柱３１２、３１３（４１２、４１３）に架設されている。図１に示す例では、右側の肘掛ベース４０１の前側の支柱４１２に、トイレットペーパーホルダ６０が取り付けられている。
【００４８】
《肘掛本体３０２（４０２）》
肘掛本体３０２（４０２）は、肘掛部３４１（４４１）と、可動軸３４２、３４３（４４２、４４３）とを備えている。肘掛部３４１（４４１）は、ポータブルトイレ１０の使用者が肘を掛ける部位である。この実施形態では、肘掛部３４１（４４１）は、長手の形状を有しており、ポータブルトイレ１０の左右において前後方向に延びた状態で設けられる。可動軸３４２、３４３（４４２、４４３）は、肘掛部３４１（４４１）の下部の前後に離れた位置において下方に延びている。肘掛本体３０２（４０２）の前後の２本の中空の可動軸３４２、３４３（４４２、４４３）が、肘掛ベース３０１（４０１）の２本の中空の支柱３１２、３１３（４１２、４１３）に挿入されている。
【００４９】
《高さ調節機構３０３（４０３）》
高さ調節機構３０３（４０３）は、肘掛部３４１（４４１）の高さを調整する機構である。高さ調節機構３０３（４０３）は、肘掛ベース３０１（４０１）の中空軸３１４（４１４）内に内装されている。図１４は、肘掛ベース３０１（４０１）の中空軸３１４（４１４）を横断した横断平面図である。
【００５０】
図１４に示すように、この実施形態では、肘掛本体３０２（４０２）の可動軸３４２、３４３（４４２、４４３）には、穴３６１、３６２（４６１、４６２）が形成されている。当該穴３６１、３６２（４６１、４６２）は、図示は省略するが、長さ方向に沿って、複数形成されている。また、肘掛ベース３０１の支柱３１２、３１３（４１２、４１３）にも、中空軸３１４（４１４）に連通するように貫通した穴３６３、３６４（４６３、４６４）が形成されている。
【００５１】
高さ調節機構３０３（４０３）は、肘掛ベース３０１の中空軸３１４（４１４）の内部に突起３８１、３８２（４８１、４８２）を有している。突起３８１、３８２（４８１、４８２）は、可動軸３４２、３４３（４４２、４４３）に向かって突出するように、中空軸３１４（４１４）に装着されている。中空軸３１４（４１４）には、バネ３８３、３８４（４８３、４８４）が内装されている。バネ３８３、３８４（４８３、４８４）は、中空軸３１４（４１４）から支柱３１２、３１３（４１２、４１３）の内部に突起３８１、３８２（４８１、４８２）が突出するように突起３８１、３８２（４８１、４８２）を付勢するかかる突起３８１、３８２（４８１、４８２）は、中空軸３１４（４１４）に沿ってスライド可能に取り付けられた摘み３８５、３８６（４８５、４８６）と一体的な部材である。摘み３８５、３８６（４８５、４８６）を操作することによって、支柱３１２、３１３（４１２、４１３）の内部に突出した突起３８１、３８２（４８１、４８２）は、支柱３１２、３１３（４１２、４１３）から引き抜かれる。
【００５２】
当該突起３８１、３８２（４８１、４８２）は、支柱３１２、３１３（４１２、４１３）の内部に突出した状態では、肘掛本体３０２（４０２）の可動軸３４２、３４３（４４２、４４３）の穴３６１、３６２（４６１、４６２）に嵌る。この際、可動軸３４２、３４３（４４２、４４３）の長さ方向に沿って形成された複数の穴３６１、３６２（４６１、４６２）のうち、何れかの穴に当該突起３８１、３８２（４８１、４８２）を嵌めるとよい。突起３８１、３８２（４８１、４８２）を嵌める穴３６１、３６２（４６１、４６２）を変えることによって、肘掛部３４１（４４１）の高さが調整される。つまり、かかる高さ調節機構３０３（４０３）によって、肘掛ベース３０１（４０１）の２本の中空の支柱３１２、３１３（４１２、４１３）に対し、肘掛本体３０２（４０２）の可動軸３４２、３４３（４４２、４４３）が挿入された長さが変化する。これにより、便器本体１００に対する肘掛部３４１（４４１）の高さが調整される。
【００５３】
《肘掛取付部２１１、２１２》
上側部材２１０には、かかる肘掛３００、４００が取り付けられる肘掛取付部２１１、２１２が設けられている。肘掛取付部２１１、２１２は、上側部材２１０の上面部１０２の左右において、それぞれ肘掛３００、４００を取り付ける位置に設けられている。肘掛取付部２１１、２１２は、それぞれ左右の肘掛３００、４００の下部に対応した形状を有している。
【００５４】
肘掛取付部２１１、２１２は、図２、図５および図１３に示すように、それぞれ肘掛３００、４００の基部３１１（４１１）が嵌る前後に延びた長手の窪み２２１、２２２を有している。当該窪み２２１、２２２には、縦穴２２３、２２４、２２５、２２６と、係合溝２２７、２２８と、鍵穴２３１、２３２が形成されている。上側部材２１０の裏面には、特に肘掛取付部２１１、２１２の裏面にリブが多く配置されている。かかるリブによって肘掛３００、４００のぐらつきが小さく抑えられるとともに所要の耐荷重を確保することができる。
【００５５】
ここで、左側の窪み２２１には、左側の肘掛３００の基部３１１（図１３参照）が嵌る。また、左側の窪み２２１に形成された縦穴２２３、２２５には、基部３１１から下方に突出した支柱３１２、３１３（図１３参照）の下端部３１２ａ、３１３ａがそれぞれ嵌る。左側の窪み２２１に形成された係合溝２２７には、左側の肘掛３００の基部３１１の下面から下方に突出した係合突起３２１（図１３参照）が嵌る。さらに、左側の窪み２２１に形成された鍵穴２３１は、左側の肘掛３００の基部３１１に形成された差込穴３２２に対応する位置に形成されている。当該左側の肘掛３００は、支柱３１２、３１３（図１３参照）の下端部３１２ａ、３１３ａを、便器本体１００の肘掛取付部２１１の縦穴２２３、２２５に挿入し、基部３１１を窪み２２１に嵌める。そして、差込穴３２２および鍵穴２３１に固定ピン３５０（図１参照）を装着する。これによって、左側の肘掛３００を便器本体１００に固定することができる。
【００５６】
また、右側の窪み２２２には、右側の肘掛４００の基部４１１が嵌る。また、右側の窪み２２２に形成された縦穴２２４、２２６には、基部４１１から下方に突出した支柱４１２、４１３（図１３参照）の下端部４１２ａ、４１３ａがそれぞれ嵌る。右側の窪み２２２に形成された係合溝２２８には、右側の肘掛４００の基部４１１の下面から下方に突出した係合突起４２１（図１３参照）が嵌る。さらに、右側の窪み２２２に形成された鍵穴２３２は、右側の肘掛４００の基部４１１に形成された差込穴４２２に対応する位置に形成されている。そして、当該右側の窪み２２２に右側の肘掛４００の基部４１１を嵌めて、差込穴４２２および鍵穴２３２に固定ピン４５０（図１参照）を装着することによって、右側の肘掛４００を便器本体１００に固定することができる。
【００５７】
ここで、高さ調節機構３０３（４０３）の摘み３８５、３８６（４８５、４８６）は、図１に示すように、肘掛ベース３０１（４０１）の中空軸３１４（４１４）の左右両側に設けられている。このため、肘掛３００、４００の高さ調節機構３０３（４０３）は、ポータブルトイレ１０の内側および外側の両側からも操作できる。
【００５８】
図１５は、ポータブルトイレ１０の蓋２０を閉じた状態での平面図である。この実施形態では、左右の肘掛３００、４００は、平面視において、肘掛ベース３０１の支柱３１２、３１３（４１２、４１３）の中心軸を結ぶ線Ｃ１に対して、肘掛部３４１（４４１）が内側に張り出している長さＬ１と、外側に張り出している長さＬ２が異なる。例えば、図１５に示すように、この実施形態では、肘掛部３４１（４４１）が内側に張り出している長さＬ１は、外側に張り出している長さＬ２よりも長い。また、便器本体１００の肘掛取付部２１１、２１２は、左右で同じ構造を有している。つまり、左の肘掛３００を右側の肘掛取付部２１２に取り付けることができ、右の肘掛４００を左側の肘掛取付部２１１に取り付けることができる。左右の肘掛３００、４００を入れ替えることで、ポータブルトイレ１０における肘掛部３４１（４４１）の間隔Ｌ３を変えることができる。これにより、使用者の体格に応じて、肘掛部３４１（４４１）の間隔Ｌ３を調整できる。
【００５９】
なお、この実施形態では、左側の肘掛ベース３０１に取り付けられた肘掛本体３０２を、右側の肘掛ベース４０１に取り付け、右側の肘掛ベース４０１に取り付けられた肘掛本体４０２を、左側の肘掛ベース３０１に取り付けることができる。左右の肘掛ベース３０１、４０１に対して、左右の肘掛本体３０２、４０２を入れ替えることによって、左右の肘掛部３４１、４４１の間隔Ｌ３を調整してもよい。
【００６０】
また、左右の肘掛３００、４００は、使用者や介助者のニーズに応じて適宜に取り外すことができる。また、ポータブルトイレ１０は、便器本体１００から肘掛３００、４００を取り外した際に、便器本体１００の肘掛取付部２１１、２１２に被せることができるカバーが付属されているとよい。かかるカバーは、肘掛取付部２１１、２１２に取り付けられた際に、便器本体１００の上面を平坦にする形状であるとよい。
【００６１】
また、肘掛ベース３０１（４０１）の後側の支柱３１３（４１３）の外周面に、上下に連続して後方に突出した係合片３２３（４２３）は、背もたれ２５０に形成された係合溝２５６、２５７（図１〜図４参照）にそれぞれ係合している。
【００６２】
《背もたれ２５０》
次に、ポータブルトイレ１０の背もたれ２５０を説明する。背もたれ取付部２１３、２１４は、図５に示すように、便器本体１００の上面において、後部の左右両側にそれぞれ設けられている。背もたれ２５０は、図１に示すように、便器本体１００の上面において、蓋２０を後方に通すことができる開口２５１を有している。この背もたれ２５０は、左右の柱部２５２、２５３と、背もたれ部２５４と、クッション２５５とを備えている。柱部２５２、２５３は、ポータブルトイレ１０の背部において、便器本体１００の左右両側に設けられた背もたれ取付部２１３、２１４に取り付けられる。柱部２５２、２５３は、便器本体１００の背もたれ取付部２１３、２１４から上方に立ち上がっている。背もたれ部２５４は、柱部２５２、２５３の上端に架け渡されている。クッション２５５は、背もたれ部２５４の前面に取り付けられている。
【００６３】
《脚５００、６００》
次に、脚５００、６００は、図１に示すように、それぞれ２本の脚部５０１、５０２（６０１、６０２）と、フロントベース部５０３（６０３）と、リヤベース部５０４（６０４）と、連結部５０５（６０５）とを備えている。なお、ここで、左側の脚５００の各部材および部位には５００番台の符号を付している。右側の脚６００の各部材および部位には、左側の脚５００に対応させて、６００番台の符号を付している。また、右側の脚６００の、脚部６０２と、リヤベース部６０４と、連結部６０５とは、図１において、便器本体１００に隠れており、図示されていない。右側の脚６００の脚部６０２と、リヤベース部６０４と、連結部６０５とは、それぞれ左側の脚５００の脚部５０２と、リヤベース部５０４と、連結部５０５と凡そ左右が対象な構造を有している。
【００６４】
２本の脚部５０１、５０２（６０１、６０２）は、便器本体１００の左右において、それぞれ前後に配置されている。この実施形態では、脚部５０１、５０２（６０１、６０２）の上端は、便器本体１００の底部１０４には設けられたボス１２１〜１２４（図１１参照）に装着されている。脚部５０１、５０２（６０１、６０２）は、長さを調節する構造を備えている。脚部５０１、５０２（６０１、６０２）の長さを調節することによって、ポータブルトイレ１０の便座３０の高さを調整することができる。ここでは、ポータブルトイレ１０の脚部５０１、５０２（６０１、６０２）の長さを調節する構造については、後述する。
【００６５】
フロントベース部５０３（６０３）は、前側の脚部５０１（６０１）の下端から前方に延びた部位である。リヤベース部５０４（６０４）は、後ろ側の脚部５０２（６０２）の下端から後方に延びた部位である。この実施形態では、リヤベース部５０４（６０４）の後端には、キャスター５０６（６０６）が取り付けられている。図１では、右側のリヤベース部６０４（図１５参照）および右側のリヤベース部６０４の後端に取り付けられたキャスター６０６（図１５参照）は、便器本体１００に隠れており、図示されていない。
【００６６】
この実施形態では、便器本体１００の下に２本の脚部５０１、５０２（６０１、６０２）があり、フロントベース部５０３（６０３）が、前側の脚部５０１（６０１）の下端から前方に延びている。また、リヤベース部５０４（６０４）は、後ろ側の脚部５０２（６０２）の下端から後方に延びている。つまり、このポータブルトイレ１０は、単純な４本足の椅子のような構造ではない。かかるフロントベース部５０３（６０３）によって、ポータブルトイレ１０は前方へ転倒するのが確実に防止されている。また、かかるリヤベース部５０４（６０４）によって、ポータブルトイレ１０は後方へ転倒するのが確実に防止されている。
【００６７】
また、このポータブルトイレ１０は樹脂製である。このような樹脂製のポータブルトイレ１０は、一般的には、木製の簡易トイレなどと比べると、全体が軽量であるとともに剛性が低く、全体として撓みやすい。例えば、ポータブルトイレ１０の使用者が、肘掛３００、４００の肘掛部３４１、４４１の前側に体重を掛けて立ち上がろうとする場合に撓みやすい。このポータブルトイレ１０は、ポータブルトイレ１０の使用者が、肘掛３００、４００の肘掛部３４１、４４１の前側に体重を掛けて立ち上がろうとする場合に、前方へ傾くように力が掛かる。しかし、脚５００が便器本体１００の前方へ延びた脚５００、６００のフロントベース部５０３、６０３によって、ポータブルトイレ１０が前方への倒れるのが防止される。
【００６８】
また、この実施形態では、ポータブルトイレ１０の下部後方にはリヤベース部５０４（６０４）が延びている。例えば、介助者が背もたれに体重を掛けて、介助作業を行うような場合でも、かかるリヤベース部５０４（６０４）によって、ポータブルトイレ１０が後方へ倒れるのを防止できる。
【００６９】
またポータブルトイレ１０には、脚５００、６００の脚部５０１、５０２（６０１、６０２）の基端にも大きな力が作用する。この実施形態では、便器本体１００の底部１０４に、脚部５０１、５０２（６０１、６０２）の上端が装着されるボス１２１〜１２４（図１１参照）が設けられている。さらに、当該ボス１２１〜１２４の周囲にリブ１２１ａ〜１２４ａが放射状に設けられおり、所要の強度が確保されている。かかるリブ１２１ａ〜１２４ａによって、脚部５０１、５０２（６０１、６０２）の上端が装着されたボス１２１〜１２４に所要の剛性が確保されている。このため、脚部５０１、５０２（６０１、６０２）が装着されたボス１２１〜１２４の周辺部分の撓みが小さく抑えられ、ポータブルトイレ１０の撓みが小さく抑えられる。
【００７０】
また、脚５００、６００の脚部５０１、５０２（６０１、６０２）は、便器本体１００の底部１０４に設けられたボス１２１〜１２４（図１１参照）に装着されている。ここでは図示は省略するが、ボス１２１〜１２４は、脚５００、６００の脚部５０１、５０２（６０１、６０２）を保持する構造を備えている。また、脚５００、６００の脚部５０１、５０２（６０１、６０２）は、ボス１２１〜１２４に挿入された長さを調整できる幅がある程度大きく確保されている。これによって、便器本体１００の高さを調整できる幅をより大きく確保できる。
【００７１】
また、連結部５０５（６０５）は、２本の脚部５０１、５０２（６０１、６０２）の下端を繋ぐように前後方向に延び、フロントベース部５０３、６０３とリヤベース部５０４（６０４）とに連続している。かかる連結部５０５（６０５）によって、フロントベース部５０３、６０３とリヤベース部５０４（６０４）とが一体的になる。このため、例えば、ポータブルトイレ１０の使用者が、肘掛３００、４００の前側に体重を掛けて立ち上がろうとする場合に、フロントベース部５０３、６０３の撓みやポータブルトイレ１０の前方への撓みや、リヤベース部５０４（６０４）の後端が浮くのを小さく抑えることができる。
【００７２】
以上のように、ここで提案されるポータブルトイレ１０は、図１から図４に示すように、バケツ４０と、便座３０と、便器本体１００と、脚５００、６００とを備えている。便器本体１００は、バケツ４０が収められる窪んだ収容部１０１と、収容部１０１の上部周辺に設けられ、便座３０が配置される上面部１０２と、収容部１０１の少なくとも外側面１１１を囲う外郭部１０３と、外郭部１０３の下端から連続し、便器本体１００の底を形成する底部１０４とを有している。
【００７３】
そして、図６に示すように、便器本体１００の少なくとも前面において、上面部１０２の周縁を形成する面１１２と、外郭部１０３を形成する面１１３と、底部１０４を形成する面１１４とが連続している。また、脚５００、６００は、便器本体１００の底部１０４の左右においてそれぞれ独立して取り付けられている。上述したように、このポータブルトイレ１０では、使用者および介助者の足が便器本体１００の前面下部に引っ掛かりにくい。
【００７４】
また、便器本体１００の少なくとも前面において、外郭部１０３は上面部１０２の周縁から底部１０４へ向かうにつれて後方に傾斜している。便器本体１００の前面においてポータブルトイレ１０に座った使用者が足を引き寄せる所要の空間Ｓ１が確保されている。
【００７５】
また、便器本体１００は、収容部１０１と上面部１０２とを含む上側部材２１０と、外郭部１０３の少なくとも一部と、底部１０４とを含む下側部材２２０とを備えている。ここでは、上側部材２１０と下側部材２２０とが組み合わされている。このように、かかる構成では、便器本体１００は、例えば、上下半割型であり、上側部材２１０と下側部材２２０の成形が容易になる。
【００７６】
また、この場合、図７に示すように、上側部材２１０の下縁２１０ａと下側部材２２０の上縁２２０ａとは、互いに内外に嵌り合っているとよい。かかる構成によって、上側部材２１０の下縁２１０ａと下側部材２２０の上縁２２０ａの剛性が確保され、便器本体１００全体として高い剛性が得られる。また、この実施形態では、上側部材２１０と下側部材２２０とは、それぞれ一体的な成形品で具現化されている。また、便器本体１００の上面部には、図３に示すように、収容部１０１の上部開口を囲うようにトレイ５０が配置されている。さらに当該トレイ５０の上に便座３０が配置されている。かかるトレイ５０によって、バケツ４０から汚水がこぼれた場合でも、汚水が床に流れ出にくい。
【００７７】
また、この実施形態では、便器本体１００の底部１０４は、図７および図１１に示すように、収容部１０１の底に対向する部位に開口１０４ａを有している。かかる開口により、便器本体１００の軽量化が図られている。また、便器本体１００の収容部１０１の外側面１１１は、全体として外郭部１０３で囲われている。このため、外観上、バケツ４０を収容する部分が見えず、汚物を入れるバケツの印象が薄い。このため、このポータブルトイレ１０は、清潔感が高いデザインになっている。
【００７８】
また、収容部１０１の底１０１ａには、当該底１０１ａの周縁に沿って下方に突出した底面リブ１０１ａ１（図９参照）を有している。かかる底面リブ１０１ａ１によって、収容部１０１の底１０１ａの剛性が確保されている。さらに、便器本体１００の底部１０４の開口１０４ａの縁には、収容部１０１の底面リブ１０１ａ１の内側において立ち上がった突起１０４ａ１が設けられている。このため、便器本体１００を丸洗いした場合に、便器本体１００内に水が残留しても、例えば、上側部材２１０の内面を伝って流れ落ちる水は、収容部１０１の底面リブ１０１ａ１を伝い、下側部材２２０の底部１０４で受けられる。下側部材２２０の底部１０４に流れた水は、開口１０４ａの縁に設けられた突起１０４ａ１よって受けられる。したがって、このポータブルトイレ１０は、便器本体１００内に残留した水は、容易には便器本体１００の底に垂れない。
【００７９】
≪ポータブルトイレの脚部の長さを調整する構造（軸保持構造８００）≫
以下、ポータブルトイレの高さを調整する構造に採用された軸保持構造を説明する。ここで提案される軸保持構造は、ポータブルトイレの高さを調整する構造のみならず、種々の用途に採用されうる。
【００８０】
上述したように、ポータブルトイレ１０は、図１に示すように、便器本体１００と、便器本体１００の下部の左右に脚５００、６００が設けられている。かかるポータブルトイレ１０において、左右の脚５００、６００は、それぞれ前後に軸状の脚部５０１、５０２、６０１、６０２を有している。また、便器本体１００の下部には、ボス１２１〜１２４（図１１参照）を有している。当該ボス１２１〜１２４には、脚部５０１、５０２、６０１、６０２の一端を保持する構造として、それぞれ軸保持構造８００が設けられている。
【００８１】
ここで、脚部５０１、５０２、６０１、６０２は、便器本体１００の前後左右に取り付けられている。各脚部５０１、５０２、６０１、６０２は、多少の違いはあるものの、それぞれ同様の基本構成を有する軸保持構造８００を備えている。ここで右側の脚部６０１、６０２を保持する軸保持構造８００は、左側の脚部５０１、５０２を保持する軸保持構造８００と同様の基本構成を有している。右側の脚部６０１、６０２の軸保持構造８００は、左側の脚部５０１、５０２の軸保持構造８００の説明を基に、基本構造が理解される。
【００８２】
図１６および図１７は、ポータブルトイレ１０の左側の脚部５０１、５０２に設けられた軸保持構造８００を示す側面図である。ここでは、脚部５０１、５０２をポータブルトイレ１０の外側（左側）から見た側面図である。
【００８３】
ここで、図１６では、前側の脚部５０１について、筒材８０２が取り付けられた当該脚部５０１が、筒状部材８２３に装着された便器本体１００の左前側のボス１２１に装着された状態が図示されている。また、後側の脚部５０２について、単に、当該脚部５０２が、左後側のボス１２３に挿通された状態が示されている。つまり、ここでは、後側の脚部５０２には、筒材８０２が取り付けられておらず、ボス１２３には筒状部材８２３が取り付けられていない。
【００８４】
また、図１７では、前側の脚部５０１は、図１６に示された左前側の脚部５０１に対して、さらに筒状部材８２３に連結部材８０４が取り付けられた状態が示されている。また、後側の脚部５０２について、筒材８０２が取り付けられた脚部５０２が、筒状部材８２３に装着された便器本体１００の左後側のボス１２３に装着された状態が図示されている。ここで、ボス１２３に装着された筒状部材８２３は断面で示されている。
【００８５】
また、図１８は、左側の脚部５０１、５０２をポータブルトイレ１０の内側（右側）の方向から見た側面図である。ここで、図１８では、前側の脚部５０１に、筒材８０２と、便器本体１００の左前側のボス１２１に装着される筒状部材８２３とが取り付けられた状態が示されている。また、後側の脚部５０２に筒材８０２が取り付けられた状態が示されている。また、図１６から図１８では、その余の部材は、図示を省略している。
【００８６】
ここでは、図１６から図１８を基に、左側のボス１２１、１２３に取り付けられる脚部５０１、５０２を保持する軸保持構造８００を説明する。右側の脚部６０１、６０２の軸保持構造８００については、左側の脚部５０１、５０２の軸保持構造８００と重複する説明は適宜に省略する。
【００８７】
左側の前後の脚部５０１、５０２に設けられる各軸保持構造８００は凡そ同じ構造である。かかる脚部５０１、５０２に設けられる軸保持構造８００において、脚部５０１、５０２が保持される軸である。また、便器本体１００（この実施形態では、具体的には、便器本体１００の下側部材２２０）が、脚部５０１、５０２の一端を保持する基材である。
【００８８】
軸保持構造８００は、図１６および図１７に示すように、保持される軸としての脚部５０１、５０２と、当該脚部５０１、５０２を保持する基材としての便器本体１００と、筒材８０２と、連結部材８０４とを備えている。この実施形態では、脚部５０１、５０２は、基材としての便器本体１００の底部１０４に設けられたボス１２１、１２３（図１１参照）に装着される。この実施形態では、ボス１２１、１２３には、筒状部材８２３が取り付けられている。
【００８９】
≪軸保持構造８００の基材としての便器本体１００≫
基材としての便器本体１００は、保持部８２１と、係止部８２２とを有している。
【００９０】
＜保持部８２１＞
保持部８２１は、脚部５０１、５０２の一端を保持する略筒状の部位である。この実施形態では、保持部８２１として、脚部５０１、５０２の一端を保持する便器本体１００のボス１２１、１２３には、それぞれ筒状部材８２３が装着されている。
【００９１】
＜筒状部材８２３＞
筒状部材８２３は、脚部５０１、５０２に装着された筒材８０２が嵌め込まれる部材である。ここで、筒状部材８２３の外周面には、段差８２３ａ１、８２３ａ２と、爪部８２３ｂ１、８２３ｂ２とが設けられている。
【００９２】
＜段差８２３ａ１、８２３ａ２＞
ここで、段差８２３ａ１、８２３ａ２は、外径方向に突出し、前記ボス部の一端側に当たる部位である。この実施形態では、段差８２３ａ１、８２３ａ２は、筒状部材８２３の外周面において外径方向に突出している。段差８２３ａ１、８２３ａ２は、便器本体１００のボス１２１、１２３の一端側（ここでは、下端側）に当たるように設けられている。この実施形態では、筒状部材８２３の下部において上下２箇所に、段差８２３ａ１、８２３ａ２が設けられている。下側の段差８２３ａ２は、筒状部材８２３の外方にフランジ状に突出している。なお、この実施形態では、段差８２３ａ１、８２３ａ２は周方向に連続しているが、必ずしも周方向に連続していなくてもよい。
【００９３】
＜爪部８２３ｂ１、８２３ｂ２＞
爪部８２３ｂ１、８２３ｂ２は、ボス１２１、１２３の他端側（ここでは、上端側）に引っ掛かる部位である。この実施形態では、爪部８２３ｂ１、８２３ｂ２は、筒状部材８２３の軸方向の他端（上端）に、外径方向に突出するように設けられている。具体的には、爪部８２３ｂ１、８２３ｂ２は、筒状部材８２３の上端を切り欠いて設けられた弾性片の上端部において外方に突出している。ここで、筒状部材８２３には、２つの爪部８２３ｂ１、８２３ｂ２が設けられている。爪部８２３ｂ１は、図１６に示すように、筒状部材８２３の左側（ポータブルトイレ１０の外側）に設けられている。爪部８２３ｂ２は、図１８に示すように、筒状部材８２３の右側（ポータブルトイレ１０の内側）に設けられている。また、爪部８２３ｂ１、８２３ｂ２が設けられた部位では、筒状部材８２３の外周面は軸方向に沿って外側に少し盛り上がっており、筒状部材８２３の内周面は軸方向に沿って窪んでいる（図２３、図２４参照）。
【００９４】
＜突起８２４＞
また、図１６に示すように、筒状部材８２３の外側の爪部８２３ｂ１の下には、さらに外方に盛り上がった略矩形の突起８２４が設けられている。突起８２４は、筒状部材８２３の２つの段差８２３ａ１、８２３ａ２の間に設けられている。図１９は、筒状部材８２３の内周面（ポータブルトイレ１０の外側に向けられる側の内周面）を示している。筒状部材８２３の突起８２４の裏側は、図１９に示すように、窪んでいる。当該窪み８２４ａは、下方に連続している。また、当該窪み８２４ａが設けられた部位の下には、筒状部材８２３の下端部を切り欠いた切り欠き８２５が形成されている。また、上側の段差８２３ａ１の裏面には、段差８２６が形成されている。この実施形態では、当該段差８２６の下部には、筒材８０２が装着される。段差８２６の下部では、後述する筒材８０２の上部の外周面８０２ａ（図２３、図２４参照）に合わせて、筒状部材８２３の内周面８２７の内径は、下方ほど徐々に大きくなっている。つまり、ここでは、筒材８０２の外周面８０２ａは、保持部８２１の奥に嵌め込まれる部位（上端）から、筒材８０２の軸方向に沿って外径が大きくなっている。
【００９５】
＜窓８２８＞
また、図１８に示すように、筒状部材８２３の内側の爪部８２３ｂ２の下には、開口した窓８２８が形成されている。当該窓８２８は、筒状部材８２３の２つの段差８２３ａ１、８２３ａ２の間において、下側の段差８２３ａ２の上に横長の略長方形に形成されている。窓８２８の下縁には、上方に突出した突起８２９が設けられている。
【００９６】
この実施形態では、ボス１２１、１２３の内周面には、図１６および図１７に示すように、筒状部材８２３が装着されるように２つの段差８２３ａ１、８２３ａ２に応じて、それぞれ２つの段差１２１ｂ１、１２１ｂ２、１２３ｂ１、１２３ｂ２が形成されている。また、筒状部材８２３の軸方向（高さ方向）における、各段差８２３ａ１、８２３ａ２と爪部８２３ｂ１、８２３ｂ２との間の距離は、ボス１２１、１２３の内周面に形成された２つの段差１２１ｂ１、１２１ｂ２、１２３ｂ１、１２３ｂ２と、ボス１２１、１２３の上縁までの距離と凡そ同じ長さである。
【００９７】
また、図示は省略するが、ボス１２１、１２３の内周面には、筒状部材８２３の外側に設けられた突起８２４（図１６参照）が嵌る溝が形成されている。筒状部材８２３は、図１６に示すように、ボス１２１、１２３に下から挿入される。筒状部材８２３の爪部８２３ｂ１、８２３ｂ２は、筒状部材８２３の内側に弾性的に若干変位しながら、ボス１２１、１２３に挿入される。さらに、筒状部材８２３の突起８２４は、ボス１２１、１２３の内周面に形成された溝（図示省略）に沿って挿入される。これにより、筒状部材８２３は、ボス１２１、１２３に対して、周方向に位置決めされて装着される。
【００９８】
筒状部材８２３がボス１２１、１２３に装着された状態では、図１７に示すように、ボス１２１、１２３の内周面に形成された２つの段差１２１ｂ１、１２１ｂ２、１２３ｂ１、１２３ｂ２に、筒状部材８２３の２つの段差８２３ａ１、８２３ａ２がそれぞれ当たる。そして、筒状部材８２３の上端に設けられた爪部８２３ｂ１、８２３ｂ２が、ボス１２１、１２３の上端縁に引っ掛けられる。このようにボス１２１、１２３の予め定められた位置に、それぞれ筒状部材８２３が取り付けられる。この場合、筒状部材８２３は、爪部８２３ｂ１、８２３ｂ２が外れたり、折れたりしない限りにおいて、ボス１２１、１２３から外れない。
【００９９】
＜係止部８２２＞
係止部８２２は、図１６に示すように、連結部材８０４が係止される部位である。この実施形態では、ボス１２１、１２３に装着された筒状部材８２３の下端部は、便器本体１００の底部１０４から下方に延びている。係止部８２２は、ボス１２１、１２３の下端（便器本体１００の底部１０４）から下方に延びた筒状部材８２３の下端部の外周面に設けられている。ここでは、当該筒状部材８２３の外周面に係止部８２２としてねじ溝が形成されている。また、この実施形態では、上述したように、ボス１２１、１２３の下端（便器本体１００の底部１０４）から下方に延びた筒状部材８２３の下端部には切り欠き８２５が形成されている。
【０１００】
ここでは、便器本体１００の左側のボス１２１、１２３および当該ボス１２１、１２３に取り付けられる筒状部材８２３を説明したが、便器本体１００の右側のボス１２２、１２４についても、同様に、筒状部材８２３が取り付けられる。
【０１０１】
≪軸保持構造８００の軸としての脚部５０１、５０２≫
次に、軸保持構造８００の軸としての脚部５０１、５０２を説明する。ここで、脚部５０１、５０２の外周面には、図１６および図１８に示すように、長さ方向に沿って複数の第１係合部８４１、８４２がそれぞれ設けられている。ここで、第１係合部８４１、８４２は、脚部５０１、５０２の外周面から突出した突起である。また、この実施形態では、第１係合部８４１、８４２は、脚部５０１、５０２の外周面において、所要の高さで突出している。また、脚部５０１、５０２は、予め定められた長さで周方向に沿って延びている。
【０１０２】
また、この実施形態では、図１６および図１８に示すように、第１係合部８４１、８４２は、脚部５０１、５０２に対して、同じ高さにおいて周方向に２つ設けられている。詳しくは、図１６および図１７に示すように、第１係合部８４１は、各脚部５０１、５０２の後側において、脚部５０１、５０２の外側にそれぞれ設けられている。また、図１８に示すように、第１係合部８４２は、各脚部５０１、５０２の後側において、脚部５０１、５０２の内側にそれぞれ設けられている。なお、第１係合部８４１、８４２は、この実施形態では、同じ高さにおいて周方向に２つ設けられているが、周方向に複数設けられていてもよい。また、この実施形態では、脚部５０１、５０２の外周面に設けられた複数の第１係合部８４１と第１係合部８４２は、脚部５０１、５０２の長さ方向に沿って等間隔で設けられている。
【０１０３】
＜右側の脚６００の脚部６０１、６０２＞
図２０は、右側の脚６００をポータブルトイレ１０の外側（右側）から見た図である。図２１は、右側の脚６００をポータブルトイレ１０の内側（左側）から見た図である。図２０および図２１では、ともに前側の脚部６０１に、筒材８０２が装着されている。ここで、右側の脚６００は、左側の脚５００に対して凡そ左右対称である。図２０および図２１に示すように、右側の脚６００の脚部６０１、６０２には、左側の脚部５０１、５０２と同様に、長さ方向に沿って複数の第１係合部８４３、８４４がそれぞれ設けられている。ここで、図２０および図２１に示すように、第１係合部８４３、８４４は、各脚部６０１、６０２の後側において、脚部６０１、６０２の内側と外側にそれぞれ設けられている。また、この実施形態では、筒材８０２および筒状部材８２３は、左右の脚部５０１、５０２、６０１、６０２で部品を共通化させている。以下、筒材８０２を説明する。
【０１０４】
≪筒材８０２≫
筒材８０２は、軸としての脚部５０１、５０２（６０１、６０２）に装着される部材である。筒材８０２は、図１７に示すように、保持部８２１（この実施形態では、筒状部材８２３）に嵌め込まれうる外形形状を有している。図２２は、筒材８０２の斜視図である。図２３および図２４は、それぞれ筒状部材８２３に筒材８０２を嵌め込み連結部材８０４を取り付けた状態を示す縦断面図である。図２３では、ポータブルトイレ１０の外側に向けられる側における、筒状部材８２３および筒材８０２の内周面が示されている。その外観は、図１６の前側の脚部５０１に装着された筒状部材８２３と筒材８０２に表れている。図２４では、ポータブルトイレ１０の内側に向けられる側における、筒状部材８２３および筒材８０２の内周面が示されている。その外観は、図１８の前側の脚部５０１に装着された筒状部材８２３と筒材８０２に表れている。
【０１０５】
ここで、筒材８０２は、弾性的に拡縮可能である。この実施形態では、筒材８０２は、図２０に示すように、軸方向にスリット８５０が形成されている。このように筒材８０２の側面は、周方向において開口している。そして、当該開口（ここでは、スリット８５０）を開くことで筒材８０２の内径が弾性的に拡がる。
【０１０６】
また、筒材８０２の側面に形成されたスリット８５０の少なくとも一方の端部の縁には、外径方向に突出した突起８５１が設けられている。筒材８０２は、例えば、かかる突起８５１に指を掛けて押し広げることができる。このため、筒材８０２は、例えば、図２０に示すように、脚部６０１に装着された状態でも、工具を使わずに押し広げることができる。
【０１０７】
＜第１被係合部８６１〜８６４＞
筒材８０２には、脚部５０１、５０２、６０１、６０２の第１係合部８４１〜８４４に係合する第１被係合部８６１〜８６４が形成されている。この実施形態では、第１係合部８４１〜８４４は、脚部５０１、５０２、６０１、６０２の外周面から突出した突起である。筒材８０２に形成された第１被係合部８６１〜８６４は、第１係合部８４１〜８４４が嵌る孔である。なお、ここでは、第１被係合部８６１〜８６４は、筒材８０２を貫通した孔であるが、筒材８０２を貫通していなくてもよく第１係合部８４１〜８４４が嵌る凹部としてもよい。この場合、脚部５０１、５０２、６０１、６０２および筒材８０２の型抜きが容易な形状になる。第１被係合部８６１〜８６４が、筒材８０２を貫通した孔である場合には、第１被係合部８６１〜８６４に第１係合部８４１〜８４４が嵌っているか否かが、外観から目視にて確認できる。
【０１０８】
また、この実施形態では、図２２から図２４に示すように、筒材８０２には、同じ高さにおいて周方向に複数（この実施形態では、４つ）の第１被係合部８６１〜８６４が設けられている。この実施形態では、４つの第１被係合部８６１〜８６４が、周方向に均等に（ここでは、筒材８０２の中心軸に対して凡そ９０度間隔で）配置されている。
【０１０９】
また、第１被係合部８６１〜８６４は、筒材８０２の軸方向（高さ方向）に複数（この実施形態では３つ）設けられている。この実施形態では、脚部５０１、５０２、６０１、６０２に設けられた第１係合部８４１〜８４４は、それぞれ軸方向に複数、等間隔で設けられている。筒材８０２の第１被係合部８６１〜８６４は、高さ方向において、脚部５０１、５０２、６０１、６０２の第１係合部８４１〜８４４と同じ間隔で設けられている。
【０１１０】
筒材８０２は、押し広げた状態で、各脚部５０１、５０２、６０１、６０２に装着される。この際、それぞれスリット８５０がポータブルトイレ１０の外側に向くように、脚部５０１、５０２、６０１、６０２に取り付けられる。また、左側の脚５００では、図１７および図１８に示すように、脚部５０１、５０２の後側の側面において、内側と外側に第１係合部８４１、８４２が設けられている。第１係合部８４１、８４２は、それぞれ軸方向に沿って複数設けられている。
【０１１１】
筒材８０２は、かかる左側の脚部５０１、５０２に対して、スリット８５０が外側に向くように取り付けられる。この際、脚部５０１、５０２の第１係合部８４１、８４２に対して、筒材８０２の第１被係合部８６１、８６２が嵌る。ここでは、筒材８０２の第１被係合部８６１、８６２は、筒材８０２の軸方向（高さ方向）に複数（この実施形態では３つ）設けられている。筒材８０２の第１被係合部８６１、８６２は、脚部５０１、５０２の軸方向に沿って設けられた複数の第１係合部８４１、８４２のうち、それぞれ３つの第１係合部８４１、８４２に嵌る。
【０１１２】
筒材８０２は、図２０および図２１に示すように、右側の脚部６０１、６０２に対して、スリット８５０が外側に向くように取り付けられる。この際、脚部６０１、６０２の第１係合部８４３、８４４に対して、筒材８０２の第１被係合部８６３、８６４が嵌る。ここでは、筒材８０２の第１被係合部８６３、８６４は、筒材８０２の軸方向（高さ方向）に複数（この実施形態では３つ）設けられている。筒材８０２の第１被係合部８６３、８６４は、脚部６０１、６０２の軸方向に沿って設けられた複数の第１係合部８４３、８４４のうち、それぞれ３つの第１係合部８４３、８４４に嵌る。
【０１１３】
このように、左側の脚部５０１、５０２の第１係合部８４１、８４２に対しては、筒材８０２の第１被係合部８６１、８６２が嵌る。右側の脚部６０１、６０２の第１係合部８４３、８４４に対しては、筒材８０２の第１被係合部８６３、８６４が嵌る。また、筒材８０２には、左側の脚部５０１、５０２の第１係合部８４１、８４２と、右側の脚部６０１、６０２の第１係合部８４３、８４４とにそれぞれ嵌るように、周方向に４つの第１被係合部８６１〜８６４が設けられている。さらに、４つの第１被係合部８６１〜８６４は、筒材８０２の軸方向（高さ方向）において、それぞれ複数（この実施形態では３つ）設けられている。
【０１１４】
そして、左側の脚部５０１、５０２では、筒材８０２の周方向に設けられた４列の第１被係合部８６１〜８６４のうち２列の第１被係合部８６１、８６２が、左側の脚部５０１、５０２の２列の第１係合部８４１、８４２に係合する。さらに２列の第１被係合部８６１、８６２は、脚部５０１、５０２の長さ方向に沿って３つの第１係合部８４１、８４２に係合する。他方、右側の脚部６０１、６０２では、筒材８０２の周方向に設けられた４列の第１被係合部８６１〜８６４のうち２列の第１被係合部８６３、８６４が、右側の脚部６０１、６０２の２列の第１係合部８４３、８４４に係合する。２列の第１被係合部８６３、８６４は、脚部６０１、６０２の長さ方向に沿って３つの第１係合部８４３、８４４に係合する。
【０１１５】
上述のように、脚部５０１、５０２、６０１、６０２には、長さ方向に沿って複数の第１係合部８４１〜８４４が設けられている。筒材８０２は、脚部５０１、５０２、６０１、６０２の長さ方向に沿って設けられた複数の第１係合部８４１〜８４４のうち、任意の位置に設けられた第１係合部８４１〜８４４に係合させることができる。脚部５０１、５０２、６０１、６０２に対して筒材８０２の第１被係合部８６１〜８６４を係合させる位置を変えることによって、ポータブルトイレ１０の脚部５０１、５０２、６０１、６０２の長さを調整することができる。なお、ポータブルトイレ１０の脚部５０１、５０２、６０１、６０２の長さを揃えるために、４つの脚部５０１、５０２、６０１、６０２に筒材８０２を取り付ける位置は、適切に調整される必要がある。
【０１１６】
この実施形態では、筒材８０２は、スリット８５０を押し広げることによって、第１被係合部８６１〜８６４を第１係合部８４１〜８４４から外す。そして、脚部５０１、５０２、６０１、６０２の適当な高さの第１係合部８４１〜８４４に、第１被係合部８６１〜８６４を取り付けるとよい。この実施形態では、筒材８０２の内周面にガイド８５３、８５４と、廻り止め８５５、８５６と、脱出テーパ８５７、８５８が設けられている。
【０１１７】
＜ガイド８５３、８５４＞
ガイド８５３、８５４は、脚部５０１、５０２、６０１、６０２に装着した状態で筒材８０２を回転させた際に、脚部５０１、５０２、６０１、６０２の第１係合部８４１〜８４４に当たる。そして、ガイド８５３、８５４は、脚部５０１、５０２、６０１、６０２の第１係合部８４１〜８４４に筒材８０２の第１被係合部８６１〜８６４が嵌るように、脚部５０１、５０２、６０１、６０２に対して筒材８０２を案内する。この実施形態では、ガイド８５３、８５４は、図２２〜図２４に示すように、筒材８０２の内周面において、突出するように設けられている。
【０１１８】
この実施形態では、図１７および図２０に示すように、筒材８０２のスリット８５０は、脚部５０１、５０２、６０１、６０２の外側に向けて配置されている。筒材８０２の第１被係合部８６１〜８６４を脚部５０１、５０２、６０１、６０２の第１係合部８４１〜８４４に嵌めるときは、筒材８０２を左（図２２中矢印Ｂで示す方向）に廻す（ポータブルトイレ１０の外側から見て、スリット８５０を左に動かす）。筒材８０２の第１被係合部８６１〜８６４を脚部５０１、５０２、６０１、６０２の第１係合部８４１〜８４４から外すときは、スリット８５０を押し広げて筒材８０２を右（図２２中矢印Ａで示す方向）に廻す（ポータブルトイレ１０の外側から見て、スリット８５０を右に動かす）。
【０１１９】
ガイド８５３、８５４は、図２２〜図２４に示すように、それぞれ筒材８０２の右に廻される向き（図２２中矢印Ａで示す方向）に対して、斜め下向きの傾斜面を有している。ガイド８５３、８５４は、筒材８０２の第１被係合部８６１〜８６４を脚部５０１、５０２、６０１、６０２の第１係合部８４１〜８４４に嵌める際に機能する。この際、筒材８０２は、脚部５０１、５０２、６０１、６０２に装着された状態で、ポータブルトイレ１０の外側から見て、筒材８０２のスリット８５０を左に動かす。
【０１２０】
これにより、筒材８０２は、脚部５０１、５０２、６０１、６０２に対して、それぞれ図２２中矢印Ｂで示す方向に廻される。この際、左側の脚部５０１、５０２に対しては、脚部５０１、５０２の第１係合部８４２に、ガイド８５３の傾斜面が当たり、筒材８０２の第１被係合部８６２が、当該傾斜面に沿って脚部５０１、５０２の第１係合部８４２に導かれる。また、右側の脚部６０１、６０２に対しては、脚部６０１、６０２の第１係合部８４３に、ガイド８５４の傾斜面が当たり、筒材８０２の第１被係合部８６３が、当該傾斜面に沿って脚部６０１、６０２の第１係合部８４３に導かれる。
【０１２１】
このように、ガイド８５３、８５４によって、筒材８０２を脚部５０１、５０２、６０１、６０２に対して廻すことによって、筒材８０２の第１被係合部８６１〜８６４が、脚部５０１、５０２、６０１、６０２の第１係合部８４１〜８４４に導かれる。このため、筒材８０２の第１被係合部８６１〜８６４を、脚部５０１、５０２、６０１、６０２の第１係合部８４１〜８４４に嵌めるのが容易になる。
【０１２２】
＜廻り止め８５５、８５６＞
廻り止め８５５、８５６は、脚部５０１、５０２、６０１、６０２に対して、筒材８０２を廻し過ぎるのを防止する部位である。この実施形態では、廻り止め８５５、８５６は、筒材８０２の内周面において、筒材８０２の第１被係合部８６２、８６３の右端（図２２中矢印Ａで示す方向の端部）に沿って、筒材８０２の高さ方向に沿って突出した突起である。
【０１２３】
筒材８０２の第１被係合部８６１〜８６４を脚部５０１、５０２、６０１、６０２の第１係合部８４１〜８４４に嵌めるときは、筒材８０２を左（図２２中矢印Ｂで示す方向）に廻す（ポータブルトイレ１０の外側において、スリット８５０を左に動かす）。この際、筒材８０２が左側の脚部５０１、５０２に装着される際には、筒材８０２の廻り止め８５５に、脚部５０１、５０２の第１被係合部８６２が当たる。また、筒材８０２が右側の脚部６０１、６０２に装着される際には、筒材８０２の廻り止め８５６に、脚部６０１、６０２の第１係合部８４３が当たる。
【０１２４】
かかる廻り止め８５５、８５６によって、脚部５０１、５０２、６０１、６０２に対して、筒材８０２を廻し過ぎるのを防止できる。このように、周方向において、脚部５０１、５０２、６０１、６０２の第１係合部８４１〜８４４に当って、予め定められた位置で筒材８０２が廻るのを止める廻り止め８５５、８５６が、筒材８０２の内周面に設けられているとよい。
【０１２５】
＜脱出テーパ８５７、８５８＞
脱出テーパ８５７、８５８は、筒材８０２の第１被係合部８６１、８６２、８６３、８６４が、脚部５０１、５０２、６０１、６０２の第１係合部８４１〜８４４から抜けるのを助ける部位である。
【０１２６】
この実施形態では、脱出テーパ８５７、８５８は、図２３および図２４に示すように、筒材８０２の第１被係合部８６１、８６４に形成されている。ここでは、脱出テーパ８５７、８５８は、第１被係合部８６１、８６４の一方の端部の近傍で、筒材８０２の内周面が外径方向に凹んだ部位８５７ａ、８５８ａがある。詳しくは、第１被係合部８６１、８６４には、筒材８０２を外す際に廻す方向（図２２中矢印Ａで示す方向）とは反対側の端部よりも少し内側に、外径側に窪んだ部位８５７ａ、８５８ａがある。そして、当該部位８５７ａ、８５８ａから、第１被係合部８６１、８６４の端部８５７ｂ、８５８ｂに向けて（筒材８０２を外す際に廻す方向（図２２中矢印Ａで示す方向）とは反対側に向けて）、筒材８０２の内周面が徐々に内径側に盛り上がっている。
【０１２７】
この場合、第１被係合部８６１に設けられた脱出テーパ８５７は、左側の脚部５０１、５０２に装着された筒材８０２を外す際に機能する。また、第１被係合部８６４に設けられた脱出テーパ８５８は、右側の脚部６０１、６０２に装着された筒材８０２を外す際に機能する。
【０１２８】
ここで、左側の脚部５０１、５０２から筒材８０２を外す際、筒材８０２は、ポータブルトイレ１０の外側において、スリット８５０を押し広げつつ、スリット８５０を右に動かす。つまり、筒材８０２は、左側の脚部５０１、５０２に対して、図２２中矢印Ａで示す方向に廻される。この際、筒材８０２の第１被係合部８６１に設けられた脱出テーパ８５７が、左側の脚部５０１、５０２の第１係合部８４１の端部に当る。そして、第１係合部８４１の端部に脱出テーパ８５７が当たることによって、筒材８０２の第１被係合部８６１がスムーズに押し上げられる。これにより、脚部５０１、５０２の第１係合部８４１から筒材８０２の第１被係合部８６１を、容易に外すことができる。
【０１２９】
また、右側の脚部６０１、６０２から筒材８０２を外す際、筒材８０２は、ポータブルトイレ１０の外側において、スリット８５０を押し広げつつ、スリット８５０を右に動かす。つまり、筒材８０２は、右側の脚部６０１、６０２に対して、図２２中矢印Ａで示す方向に廻される。この際、筒材８０２の第１被係合部８６４に設けられた脱出テーパ８５８が、右側の脚部６０１、６０２の第１係合部８４４の端部に当る。そして、第１係合部８４４の端部に脱出テーパ８５８が当たることによって、筒材８０２の第１被係合部８６４がスムーズに押し上げられる。これにより、脚部６０１、６０２の第１係合部８４４から筒材８０２の第１被係合部８６４を、容易に外すことができる。
【０１３０】
上述したように、筒材８０２の内周面には、ガイド８５３、８５４と、廻り止め８５５、８５６と、脱出テーパ８５７、８５８とが設けられている。ガイド８５３、８５４は、筒材８０２の第１被係合部８６１〜８６４が、脚部５０１、５０２、６０１、６０２の第１係合部８４１〜８４４に嵌る際に、第１被係合部８６１〜８６４を第１係合部８４１〜８４４に導く。また、廻り止め８５５、８５６は、予め定められた位置で筒材８０２が廻るのを止める部位である。また、脱出テーパ８５７、８５８は、脚部５０１、５０２、６０１、６０２の第１係合部８４１〜８４４から筒材８０２の第１被係合部８６１〜８６４を外す際に、第１被係合部８６１、８６４が、第１係合部８４１、８４４に乗り上がるのを補助する。かかるガイド８５３、８５４と、廻り止め８５５、８５６と、脱出テーパ８５７、８５８は、上述した形態に限定されず、設けられる位置や形状など、種々の変更が可能である。
【０１３１】
＜鍔部８６６（第２係合部）＞
また、この実施形態では、筒材８０２の外周面には、鍔部８６６が設けられている。鍔部８６６は、筒材８０２の高さ方向の中間位置において外方に突出している。鍔部８６６は、具体的には、筒材８０２の高さ方向において第１被係合部８６１〜８６４が形成された部位の下側に設けられている。鍔部８６６は、周方向に連続している。この実施形態では、図１６および図１７に示すように、筒材８０２は、脚部５０１、５０２、６０１、６０２に装着された状態で、便器本体１００のボス１２１〜１２４（図１１参照）に装着された筒状部材８２３に嵌められる。筒材８０２は、筒状部材８２３に対して下側から挿入される。そして、鍔部８６６が設けられた部位まで、筒材８０２の上部が筒状部材８２３に嵌め込まれる。このように、鍔部８６６は、筒状部材８２３に嵌められる筒材８０２の位置を規定する。また、鍔部８６６は、筒状部材８２３の下端の下において、外径方向に突出している。かかる鍔部８６６は、連結部材８０４と係合する第２係合部として機能する。
【０１３２】
また、この実施形態では、筒材８０２の外周面８０２ａは、保持部８２１の奥に嵌め込まれる部位（上端）から、筒材８０２の軸方向に沿って外径が大きくなっている。つまり、筒状部材８２３に嵌め込まれる筒材８０２の上部の外周面８０２ａの外径は、筒材８０２の上端から徐々に大きくなっている。このため、筒材８０２を筒状部材８２３に嵌め込むことによって、筒材８０２が締まる。筒材８０２は、脚部５０１、５０２、６０１、６０２に装着された状態で、筒状部材８２３に挿入される。筒材８０２が筒状部材８２３に嵌め込まれると、筒材８０２の第１被係合部８６１〜８６４が、脚部５０１、５０２、６０１、６０２の第１係合部８４１〜８４４により深く嵌り込み、この状態が維持される。
【０１３３】
＜脱落防止片８６７＞
また、この実施形態では、筒材８０２の上端には、外方へ突出した脱落防止片８６７が設けられている。かかる脱落防止片８６７は、図１８および図２１に示すように、筒状部材８２３の窓８２８に対応した部位に設けられている。かかる脱落防止片８６７は、筒状部材８２３に筒材８０２が嵌め込まれた状態において、筒状部材８２３の窓８２８に嵌る。窓８２８の下縁には、上方へ突出した突起８２９が設けられている。脱落防止片８６７は、当該窓８２８の上縁と、突起８２９との間に収められる。かかる脱落防止片８６７は、筒材８０２を筒状部材８２３から引き抜く際に、筒状部材８２３の窓８２８に対して引っ掛かる。このため、かかる脱落防止片８６７によって、筒状部材８２３に嵌め込まれた状態から筒材８０２が急に外れるのが防止される。なお、脱落防止片８６７の引っ掛かりは、それほど強くない。このため、筒材８０２を筒状部材８２３から引き抜くことはできる。
【０１３４】
＜目盛＞
また、筒材８０２の下部（鍔部８６６の下側）は、筒材８０２が筒状部材８２３に嵌め込まれた状態でも、筒状部材８２３の下に露出している。当該下部には、切り欠き８６８が形成されている。この実施形態では、スリット８５０の周りにおいて、周方向に予め定められた幅で切り欠き８６８が形成されている。かかる切り欠き８６８には、脚部５０１、５０２、６０１、６０２の外周面が露出する。この実施形態では、当該脚部５０１、５０２、６０１、６０２の外周面には、当該切り欠き８６８から露出する部位に、筒材８０２が取り付けられた位置における脚部５０１、５０２、６０１、６０２の長さを示す目盛（図示省略）を配置されている。
【０１３５】
≪連結部材８０４≫
連結部材８０４は、図１６、図２３および図２４に示すように、筒材８０２を基材としての便器本体１００に連結する部材である。連結部材８０４は、第２被係合部８８１と、被係止部８８２とを備えている。この実施形態では、連結部材８０４は、筒材８０２に装着可能なリング状の部材である。
【０１３６】
＜第２被係合部８８１＞
第２被係合部８８１は、筒材８０２の第２係合部としての鍔部８６６に対して、筒材８０２の軸方向に係合する部位である。連結部材８０４において、第２被係合部８８１は、筒材８０２の鍔部８６６に係合する。この実施形態では、第２被係合部８８１は、連結部材８０４の内周面において、内径側に突出した突起である。この連結部材８０４の下端の縁が内径側に突出している。かかる連結部材８０４の下端の縁が、第２被係合部８８１として機能する。また、この実施形態では、筒材８０２の第２係合部は、周方向に連続している。また、連結部材８０４の第２被係合部８８１においても、周方向に連続している。このため、周方向において、何れの方向でも適切に力を支承することができる。
【０１３７】
＜被係止部８８２＞
被係止部８８２は、保持部８２１に設けられた係止部８２２に係止される部位である。この実施形態では、係止部８２２は、基材としての便器本体１００のボス１２１〜１２４（図１１参照）に装着される筒状部材８２３の下端に設けられている。当該筒状部材８２３の下端には、ねじ溝（雄ねじ）が形成されている。これに対して連結部材８０４は、当該筒状部材８２３の係止部８２２としてのねじ溝（雄ねじ）に嵌る、ねじ溝（雌ねじ）がリング状の連結部材８０４の内周面に形成されている。
【０１３８】
このポータブルトイレ１０は、図１に示すように、便器本体１００と、便器本体１００の下部に脚５００、６００が設けられている。脚５００、６００は、軸状の脚部５０１、５０２、６０１、６０２を備えている。図１６および図１７に示すように、便器本体１００の下部には、脚部５０１、５０２、６０１、６０２を保持する保持部８２１を備えている。そして、保持部８２１が、脚部５０１、５０２、６０１、６０２を保持する構造として、上述した軸保持構造８００を備えている。
【０１３９】
このポータブルトイレ１０では、図示は省略するが、各脚部５０１、５０２、６０１、６０２に、予め連結部材８０４を挿通させておく。そして、各脚部５０１、５０２、６０１、６０２の長さが揃うように、位置を調節して脚部５０１、５０２、６０１、６０２に筒材８０２を取り付ける。そして、脚部５０１、５０２、６０１、６０２に取り付けた筒材８０２を、それぞれ便器本体１００の保持部８２１（この実施形態では、ボス１２１〜１２４に装着された筒状部材８２３）に装着する。
【０１４０】
この際、筒材８０２が取り付けられた脚部５０１、５０２、６０１、６０２は、例えば、図１６に示された前側の脚５０１のように、それぞれボス１２１〜１２４に装着された筒状部材８２３に装着される。そして、この状態で、図１７に示された前側の脚部５０１のように、各脚部５０１、５０２、６０１、６０２に予め挿通していた連結部材８０４を、便器本体１００の係止部８２２に取り付けるとよい。この実施形態では、係止部８２２は、筒状部材８２３の下端に設けられており、連結部材８０４は、筒状部材８２３の下端に係止されている。
【０１４１】
連結部材８０４を取り付けることによって、脚部５０１、５０２、６０１、６０２に取り付けられた筒材８０２が、便器本体１００の保持部８２１に装着された状態で保持される。これにより、ポータブルトイレ１０の高さが定まる。そして、ポータブルトイレ１０の高さを変えるときは、連結部材８０４を外し、脚部５０１、５０２、６０１、６０２を保持部８２１から外し、脚部５０１、５０２、６０１、６０２に取り付けられた筒材８０２の位置を調節するとよい。これにより、保持部８２１に保持された位置から延びる脚部５０１、５０２、６０１、６０２の長さを変えることができる。脚部５０１、５０２、６０１、６０２の長さを調整ことによって、ポータブルトイレ１０の高さを調整することができる。
【０１４２】
以上、ここで提案されるポータブルトイレの一実施形態を例示し、ポータブルトイレ１０に適用された軸保持構造８００を説明したが、本発明は、特に言及されない限りにおいて、上述した実施形態に限定されるものではない。
【０１４３】
上述した実施形態では、軸保持構造８００を構成する各部材、つまり、軸としての脚部５０１、５０２、６０１、６０２と、基材としての便器本体１００および筒状部材８２３と、筒材８０２と、連結部材８０４とは、それぞれ樹脂成形品である。この場合、各部材は、成形後の型抜きが容易な形状であることが望ましい。
【０１４４】
ここでは、軸保持構造８００の基材としての便器本体１００は、保持部８２１の構造として、ボス１２１〜１２４（図１１参照）に筒状部材８２３が装着されている。ここで、便器本体１００の保持部８２１は、上述した筒状部材８２３を別体にすることによって、ボス部の肉厚を大きくし、保持部８２１に所要の強度を得ている。また、筒状部材８２３を別体にする被係止部８８２としての雄ねじ構造などを適切に成形することができる。なお、便器本体１００の保持部８２１は、ボス１２１〜１２４（図１１参照）に、筒状部材８２３の構造が、一体的に成形されていてもよい。
【０１４５】
また、脚部５０１、５０２、６０１、６０２に形成された第１係合部８４１〜８４４は、図１６、図１８、図２０および図２１に示すように、脚部５０１、５０２、６０１、６０２の外周面から突出した突起を例示した。この場合、筒材８０２に形成された第１被係合部８６１〜８６４は、第１係合部８４１〜８４４が嵌る凹部または孔であるとよい。また、この場合、ガイド８５３、８５４は、筒材８０２の内周面に突出しているとよい。
【０１４６】
なお、第１係合部８４１〜８４４、第１被係合部８６１〜８６４、ガイド８５３、８５４は、かかる構造に限定されない。例えば、図示は省略するが、脚部５０１、５０２、６０１、６０２に形成された第１係合部８４１〜８４４は、脚部５０１、５０２、６０１、６０２の外周面に形成された凹部または孔としてもよい。この場合、筒材８０２に形成された第１被係合部８６１〜８６４は、第１係合部８４１〜８４４に嵌る突起であってもよい。また、この場合、ガイド８５３、８５４は、軸としての脚部５０１、５０２、６０１、６０２の外周面から突出し、脚部５０１、５０２、６０１、６０２に装着された状態で筒材８０２を回転させた際に、筒材８０２の第１被係合部８６１〜８６４が当たる構造でもよい。
【０１４７】
また、上述した実施形態では、基材としての便器本体１００の保持部８２１に設けられた係止部８２２は雄ねじ構造であり、連結部材８０４に設けられた被係止部８８２は雌ねじ構造であった。基材としての便器本体１００の保持部８２１に設けられた係止部８２２と、連結部材８０４に設けられた被係止部８８２とは、それぞれかかる形態に限定されない。例えば、係止部８２２は、保持部８２１の外周面に形成された溝であり、被係止部８８２は、連結部材８０４の内周面に形成され、当該溝に嵌り得る突起であってもよい。また、係止部８２２は、保持部８２１の外周面に形成された突起であり、被係止部８８２は、連結部材８０４の内周面に形成され、当該突起が嵌り得る溝としてもよい。
【０１４８】
また、筒材８０２の側面は、周方向において開口しており、当該開口を開くことで内径が弾性的に拡がる構造を例示した。上述した形態では、筒材８０２の開口は、スリット８５０であるが、かかる開口は、筒材８０２の内径を弾性的に拡がる構造であればよく、特に言及されない限りにおいて、スリット８５０（細長い開口）に限定されない。
【０１４９】
また、上述した実施形態では、筒材８０２の側面に形成されたスリット８５０（開口）の少なくとも一方の端部の縁に、外径方向に突出した突起８５１が設けられている。かかる突起８５１は、スリット８５０を拡げる際に、指を掛ける部位となる。例えば、工具などを用いてスリット８５０を拡げて良い場合や、筒材８０２を拡径させる手段が他にある場合などには、かかる突起８５１はなくてもよい。
【０１５０】
また、筒材８０２には第１被係合部８６１〜８６４が、筒材８０２の軸方向に沿って複数（図示例では、３つ）設けられていたが、第１被係合部８６１〜８６４が、筒材８０２の軸方向に沿って設けられた数は、この限りでない。第１被係合部８６１〜８６４が、筒材８０２の軸方向に沿って設けられた数は、例えば、１つでもよい。なお、第１被係合部８６１〜８６４が、筒材８０２の軸方向に沿って設けられた数が、多ければ多いほど力が分散するので、１つの第１被係合部８６１〜８６４に作用する力を小さく抑えることができる。
【０１５１】
また、筒材８０２の外周面８０２ａは、保持部８２１の奥に嵌め込まれる部位から、筒材８０２の軸方向に沿って外径が大きくなっている。これにより、筒材８０２が保持部８２１に嵌め込まれた際に、筒材８０２が締まるように作用する。なお、特に言及されない限りにおいて、軸保持構造８００としての筒材８０２の外周面８０２ａは、かかる形態に限定されない。
【０１５２】
また、連結部材８０４は、筒材８０２が基材としての便器本体１００の保持部８２１に嵌め込まれた状態で、筒材８０２を保持部８２１に連結するものであればよい。このため、かかる連結部材８０４の構造については、上述した形態に限定されない。例えば、連結部材８０４は、リング状の部材でなくてもよい。
【０１５３】
以上、ポータブルトイレ１０に適用された形態を説明したが、ここで開示される軸保持構造８００は、ポータブルトイレ１０の脚部５０１、５０２、６０１、６０２の長さを調整する構造のみならず、種々の用途に適用できる。例えば、杖の長さ調整構造や、浴槽椅子の脚の長さ調整構造など、種々の用途に適用されうる。
【符号の説明】
【０１５４】
１０  ポータブルトイレ
２０  蓋
２１  ヒンジ
２２  蝶番
３０  便座
３１  ヒンジ
３２  便座の開口
４０  バケツ
４１  取っ手
４２  バケツ蓋
４３  上縁
５０  トレイ
５１  トレイの開口
５２、５３  トレイの壁
６０  トイレットペーパーホルダ
１００  便器本体
１０１  収容部
１０１ａ  底
１０１ａ１  底面リブ
１０２  上面部
１０３  外郭部
１０４  底部
１０４ａ  開口
１０４ａ１  突起
１１１  外側面
１１２  上面部の周縁を形成する面
１１３  外郭部を形成する面
１１４  底部を形成する面
１２１〜１２４  ボス
１２１ａ〜１２４ａ  リブ
２１０  上側部材
２１０ａ  上側部材の下縁
２１０ａ１  段差
２１０ａ２  係合片
２１０ｂ  ピン
２１０ｃ  ねじ穴
２１１、２１２  肘掛取付部
２１３、２１４  背もたれ取付部
２１５  脱臭装置取付部
２１６  受け部
２１６ａ  排出路
２２０  下側部材
２２０ａ  下側部材の上縁
２２０ａ１  段差
２２０ａ２  係合片
２２０ｂ  ピン穴
２２０ｃ  ねじ穴
２２０ｄ  切欠き（水抜き穴）
２２１、２２２  窪み
２２３〜２２６  縦穴
２２７、２２８  係合溝
２３１、２３２  鍵穴
２５０  背もたれ
２５１  開口
２５２、２５３  柱部
２５４  背もたれ部
２５５  クッション
２５６、２５７  係合溝
３００、４００  肘掛
３０１、４０１  肘掛ベース
３０２、４０２  肘掛本体
３０３、４０３  高さ調節機構
３１１、４１１  基部
３１２、４１２  支柱
３１２ａ、４１２ａ  下端部
３１３、４１３  支柱
３１４、４１４  中空軸
３２１、４２１  係合突起
３２２、４２２  差込穴
３２３、４２３  係合片
３４１、４４１  肘掛部
３４２、３４３（４４２、４４３）  可動軸
３５０、４５０  固定ピン
３８１、３８２（４８１、４８２）  突起
３８３、３８４（４８３、４８４）  バネ
３８５、３８６（４８５、４８６）  摘み
５００、６００  脚
５０１、５０２（６０１、６０２）  脚部
５０３、６０３  フロントベース部
５０４（６０４）  リヤベース部
５０５（６０５）  連結部
５０６、６０６  キャスター
７００  脱臭ダクト
７５０  脱臭装置
８００  軸保持構造
８０２  筒材
８０２ａ  筒材８０２の外周面
８０４  連結部材
８２１  保持部
８２２  係止部
８２３  筒状部材
８２３ａ１、８２３ａ２  段差
８２３ｂ１、８２３ｂ２  爪部
８２４  突起
８２４ａ  窪み
８２５  切り欠き
８２６  段差
８２７  筒状部材８２３の下部の内周面
８２８  窓
８２９  突起
８４１〜８４４  第１係合部
８５０  スリット
８５１  突起
８５３、８５４  ガイド
８５５、８５６  廻り止め
８５７、８５８  脱出テーパ
８６１〜８６４  第１被係合部
８６６  鍔部
８６７  脱落防止片
８６８  切り欠き
８８１  第２被係合部
８８２  被係止部
【図１】
2015016313.tif 000003
【図２】
2015016313.tif 000004
【図３】
2015016313.tif 000005
【図４】
2015016313.tif 000006
【図５】
2015016313.tif 000007
【図６】
2015016313.tif 000008
【図７】
2015016313.tif 000009
【図８】
2015016313.tif 000010
【図９】
2015016313.tif 000011
【図１０】
2015016313.tif 000012
【図１１】
2015016313.tif 000013
【図１２】
2015016313.tif 000014
【図１３】
2015016313.tif 000015
【図１４】
2015016313.tif 000016
【図１５】
2015016313.tif 000017
【図１６】
2015016313.tif 000018
【図１７】
2015016313.tif 000019
【図１８】
2015016313.tif 000020
【図１９】
2015016313.tif 000021
【図２０】
2015016313.tif 000022
【図２１】
2015016313.tif 000023
【図２２】
2015016313.tif 000024
【図２３】
2015016313.tif 000025
【図２４】
2015016313.tif 000026
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
便器本体の上面を含む上側部材と、
便器本体の底部を含み、前記上側部材の下に組み合わされる下側部材と、
前記上側部材に載置されるトレイと、
前記トレイに載置されるバケツと、
前記下側部材の底部の前後左右の隅部に設けられた４つのボスと、
前記４つのボスにそれぞれ装着された脚部と、
前記４つのボスで囲まれた領域内に、前記バケツを収容する収容部と
を備え、
前記４つのボスで囲まれた領域内において、前記上側部材の下端部は、前記下側部材の底部に接している、
ポータブルトイレ。
【請求項２】
前記下側部材は、前記底部の中央に開口を有する、請求項１に記載されたポータブルトイレ。
【請求項３】
前記上側部材の下端部は、前記開口の周縁部において、前記下側部材の底部に接している、請求項２に記載されたポータブルトイレ。
【請求項４】
前記便器本体は、前記便器本体の内部に溜まった水を抜く水抜き穴を有する、請求項１から３までの何れか一項に記載されたポータブルトイレ。
【手続補正２】
【補正対象書類名】明細書
【補正対象項目名】０００４
【補正方法】変更
【補正の内容】
【０００４】
ここで提案されるポータブルトイレは、便器本体の上面を含む上側部材と、便器本体の底部を含み、上側部材の下に組み合わされる下側部材と、上側部材に載置されるトレイと、トレイに載置されるバケツと、下側部材の底部の前後左右の隅部に設けられた４つのボスと、４つのボスにそれぞれ装着された脚部と、４つのボスで囲まれた領域内に、バケツを収容する収容部とを備えている。ここで、４つのボスで囲まれた領域内において、上側部材の下端部は、下側部材の底部に接している。
【手続補正３】
【補正対象書類名】明細書
【補正対象項目名】０００５
【補正方法】変更
【補正の内容】
【０００５】
ここで、下側部材は、前記底部の中央に開口を有していてもよい。また、上側部材の下端部は、開口の周縁部において、下側部材の底部に接していてもよい。また、便器本体は、前記便器本体の内部に溜まった水を抜く水抜き穴を有していてもよい。